(57)【要約】【課題】座り心地を良くすることができるとともに、椅子の本体部への設置、椅子本体部からの分離が容易であるシートカバーを提供する。【解決手段】座る人が殿部を載せる座面クッション部１３と座る人が背部を寄りかける背もたれクッション部１５とで所定形状に一体成形されたクッション材５と、クッション材５の裏面を覆っている裏シート７と、クッション材５の表面を覆っている表シート９と、各シート７，９の外周部の全周にわたって延びて環状に設けられ裏シート７と表シート９とが一体的に設けられており椅子本体部３の外周部に係合する外周係合材１１とを有するシートカバー１である。【選択図】図１
2014113235.tif 000002
【特許請求の範囲】
【請求項１】
座る人が殿部を載せる座面クッション部と、前記座る人が背部を寄りかける背もたれクッション部とで、所定形状に一体成形されたクッション材と、
前記クッション材の裏面を覆っている裏シートと、
前記クッション材の表面を覆っている表シートと、
前記各シートの外周部の全周にわたって延びて環状に設けられ、前記裏シートと前記表シートとが一体的に設けられており、椅子の本体部の外周部に係合する外周係合材と、
を有することを特徴とするシートカバー。
【請求項２】
請求項１に記載のシートカバーにおいて、
前記外周係合材は、この断面形状が「Ｕ」字状に形成されており、
前記各シートの外周部は、前記「Ｕ」字の内側で前記「Ｕ」字の一方の端部側に固定されており、
前記外周係合材が前記椅子の本体部の外周部に係合している状態では、前記「Ｕ」字状の断面によって、前記椅子の本体部の外周部と前記各シートの外周部とが挟み込まれている構成であることを特徴とするシートカバー。
【請求項３】
請求項１または請求項２に記載のシートカバーにおいて、
前記裏シートの裏面には、滑り止めが薄く設けられており、
前記裏シートは、２ウェイストレッチタイプのものであり、引っ張り力が付与された状態で前記外周係合材と前記クッション材とに設置されていることを特徴とするシートカバー。
【請求項４】
請求項１〜請求項３のいずれか１項に記載のシートカバーにおいて、
前記表シートの中央部が前記クッション材に接合されていることを特徴とするシートカバー。
【発明の詳細な説明】
【技術分野】
【０００１】
本発明は、シートカバーに係り、椅子の本体部に着脱自在であるものに関する。
【背景技術】
【０００２】
従来の椅子２０１は、図１０で示すように、人が座るときに体が接する椅子本体部２０３と椅子本体部２０３から下方に突出して椅子本体部２０３を支えている脚部２０５とを備えている。
【０００３】
椅子本体部２０３の表面（座った人の体と対向する面）は、布２０７で覆われており、布２０７の奥にはクッション材２０９が設けられている。これにより、座り心地が良くなっている。
【０００４】
なお、上記従来の技術に関する特許文献として、たとえば、特許文献１〜特許文献３を掲げることができる。
【先行技術文献】
【特許文献】
【０００５】
【特許文献１】特開２００７−２３６７１０号公報
【特許文献２】特開２００４−３５１０８４号公報
【特許文献３】特開２００３−２３９９２２号公報
【発明の概要】
【発明が解決しようとする課題】
【０００６】
ところで、上記従来の椅子２０１では、布２０７が接着等されることによって椅子本体部２０３が形成されているので、布２０７やクッション材２０９の交換を容易にすることができないという問題がある。
【０００７】
本発明は、上記問題点に鑑みてなされたものであり、座り心地を良くすることができるとともに、椅子の本体部への設置、椅子本体部からの分離が容易であるシートカバーを提供することを目的とする。
【課題を解決するための手段】
【０００８】
請求項１に記載の発明は、座る人が殿部を載せる座面クッション部と、前記座る人が背部を寄りかける背もたれクッション部とで、所定形状に一体成形されたクッション材と、前記クッション材の裏面を覆っている裏シートと、前記クッション材の表面を覆っている表シートと、前記各シートの外周部の全周にわたって延びて環状に設けられ、前記裏シートと前記表シートとが一体的に設けられており、椅子の本体部の外周部に係合する外周係合材とを有するシートカバーである。
【０００９】
請求項２に記載の発明は、請求項１に記載のシートカバーにおいて、前記外周係合材は、この断面形状が「Ｕ」字状に形成されており、前記各シートの外周部は、前記「Ｕ」字の内側で前記「Ｕ」字の一方の端部側に固定されており、前記外周係合材が前記椅子の本体部の外周部に係合している状態では、前記「Ｕ」字状の断面によって、前記椅子の本体部の外周部と前記各シートの外周部とが挟み込まれている構成であるシートカバーである。
【００１０】
請求項３に記載の発明は、請求項１または請求項２に記載のシートカバーにおいて、前記裏シートの裏面には、滑り止めが薄く設けられており、前記裏シートは、２ウェイストレッチタイプのものであり、引っ張り力が付与された状態で前記外周係合材と前記クッション材とに設置されているシートカバーである。
【００１１】
請求項４に記載の発明は、請求項１〜請求項３のいずれか１項に記載のシートカバーにおいて、前記表シートの中央部が前記クッション材に接合されているシートカバーである。
【発明の効果】
【００１２】
本発明によれば、座り心地を良くすることができるとともに、椅子の本体部への設置、椅子本体部からの分離が容易であるシートカバーを提供することができるという効果を得ることができる。
【図面の簡単な説明】
【００１３】
【図１】本発明の実施形態に係るシートカバーが設置された椅子の斜視図である。
【図２】本発明の実施形態に係るシートカバーが撤去された椅子の斜視図である。
【図３】本発明の実施形態に係るシートカバーの斜視図である。
【図４】本発明の実施形態に係るシートカバーが撤去された椅子の側面である。
【図５】本発明の実施形態に係るシートカバーの側面図である。
【図６】本発明の実施形態に係るシートカバーを裏側から見た斜視図である。
【図７】図１におけるＶＩＩ−ＶＩＩ断面を示す図である。
【図８】図７に対応した図であって、変形例の係るシートカバーを椅子に設置した状態を示す図である。
【図９】図１におけるＩＸ部の拡大図である。
【図１０】従来の椅子の斜視図である。
【発明を実施するための形態】
【００１４】
本発明の実施形態に係るシートカバー（椅子用のカバー）１は、図１等で示すように、椅子２の本体部３を覆うように設置されて使用されるものであり、クッション材５と裏シート７と表シート９と外周係合材１１とを備えて構成されている。
【００１５】
クッション材５は、図３等で示すように、座面クッション部１３と、背もたれクッション部１５とで所定形状（設置対象である椅子本体部３の座面部１７および背もたれ部１９の形状とほぼ同形状で薄い板状）に一体成形されている。
【００１６】
座面クッション部１３は、座る人が殿部（殿部の下側の部位；仙骨部よりも下側に位置している尻部の部位。大腿部の総てもしくは大腿部の上側の部位が含まれることもある。）を載せる部位であり、背もたれクッション部１５は、座る人が背部（主として背部の下側の部位；要三角の箇所と、要三角の箇所の高さ位置に存在している脊柱部の下部と、仙骨部と、仙骨部の高さ位置に存在している殿部の部位。なお、背部全体である場合もある。）を寄りかける部位である。
【００１７】
裏シート７は、クッション材５の裏面の全面を覆っており、表シート９は、クッション材５の表面（おもて面）の全面を覆っている。
【００１８】
外周係合材１１は、各シート７，９の外周部の全周にわたって延びて環状に設けられており、裏シート７の外周部の全周と表シート９の外周部の全周とがたとえば糸２３（図７参照）で縫われて、外周係合材１１に一体的に設けられている。
【００１９】
シートカバー１が椅子２に設置されたときには、図１や図２や図７等で示すように、外周係合材１１が椅子２の本体部３の外周部の全周に係合するようになっている。
【００２０】
椅子２は、図２等で示すように、たとえば、ＦＲＰ等の複合材もしくはポリプロピレン等の合成樹脂で一体成形されている本体部３と、この椅子本体部３を支持している脚部２１とを備えて構成されている。
【００２１】
椅子本体部３は、いわゆるシェルチェアの形状になっている。さらに、説明すると、椅子本体部３は、所定の厚さで楕円状もしくは長円状もしくはこれらに類似する形状の素材を適宜変形した形状に形成されている。
【００２２】
上記変形について説明する。まず、上記素材の長手方向（たとえば楕円の長軸の延伸方向）の中間部で上記素材の幅方向（たとえば楕円の短軸の延伸方向）に延びている曲げ線のところで、上記素材を所定の角度折り曲げる。この折り曲げによる曲げ部は緩やかな円弧状になっている。上記曲げ線を間にした一方の側が座面部１７になり、他方の側が背もたれ部１９になる。上記曲げによる座面部１７と背もたれ部１９との交差角度は、たとえば、劣角で１００°〜１２０°の範囲内の所定の値、優角で２６０°〜２４０°の範囲内の所定の値になっている。
【００２３】
ここで、上記曲げによる劣角側の２つの面部が表面（おもて面）になり、シートカバー１が設置されるとともに座る人の体と対向する面となる。また、上記曲げに優角側の２つの面部が裏面になる。
【００２４】
椅子２では、椅子本体部３の座面部１７がほぼ水平方向に展開し、背もたれ部１９が座面部１７の一端から斜め上方に突出している態様で使用される。脚部２１は、座面部１７の裏面（下面）から下方に突出している。
【００２５】
上記素材の変形についてさらに説明する。上記曲げ線のところでの曲げがなされた後、上記素材の中央部を表側で凹になるように（裏側に凸になるように）湾曲させる。この湾曲は、素材の中央部に向かうにしたがって表側の凹の深さの値が次第にゆるやかに大きくなっており（図４等参照）、この湾曲がなされたことで、座る人の尻部等が安定して保持されるようになっている。上記湾曲がなされた後、上記素材の外周部の全周を裏側に曲げて反らせる（図４、図７等参照）。
【００２６】
シートカバー１の外周係合材１１は、図７等で示すように、この断面形状（長手方向に対して直交する平面による断面の形状）が「Ｕ」字状に形成されている。また、各シート７，９の外周部は、外周係合材１１の「Ｕ」字の内側で「Ｕ」字の一方の端部側に、たとえば糸２３で縫合されて固定されている。
【００２７】
そして、外周係合材１１が椅子２の本体部３の外周部に係合している状態では、図７で示すように、外周係合材１１の「Ｕ」字状の断面によって、椅子２の本体部３の外周部と各シート７，９の外周部とが挟み込まれるように構成されている。
【００２８】
クッション材５は、クッション性を有する（たとえば、モールドウレタン）の成形品であり、椅子２の本体部３とほぼ同形状の三次元形状に成形されている。
【００２９】
さらに説明すると、クッション材５は、椅子２の本体部３と同様ないわゆるシェルチェアの形状になっている。ただし、椅子本体部３とクッション材５とをこれの厚さ方向から見た大きさでは、椅子本体部３のほうがクッション材５よりも若干大きくなっている。また、クッション材５の優角側がクッション材５の裏面になり、劣角側が表面（おもて面）になる。
【００３０】
裏シート７は、２ウェイのストレッチ材（２ウェイの伸縮性を備えた織物等）で構成されている。したがって、裏シート７は、この厚さ方向に直交する任意の方向の引っ張り力に対して容易に弾性変形するようになっている。
【００３１】
表シート９は、平織りの布（たとえば、アクリル等合成繊維で構成された布）で構成されている。したがって表シート９は、外力に対してバイアス方向には僅かに変形するが、裏シート７のような弾性変形はほとんどしないようになっている。なお、表シート９を、天然皮革やビニルレザー等の他の材料を構成してもよい。
【００３２】
外周係合材１１は、塩化ビニル等の合成樹脂や合成ゴム等の材料で構成されており、可撓性を備えている。外周係合材１１は、クッション材５の外周に近接して、クッション材５の外周の全周を囲んでいる。
【００３３】
裏シート７は、この全周を外周係合材１１によって保持され、外周係合材１１によって若干の引っ張り力が加わった状態で、クッション材５の裏面に接し、クッション材５の裏面のすべてを覆っている。これにより、裏シート７での皺の発生が抑制されている（皺が発生しないようになっている）。
【００３４】
表シート９も、この全周を外周係合材１１によって保持されており、外周係合材１１によってクッション材５の表面に接し、クッション材５の表面のすべてを覆うように設置されている。なお、裏シート７とは異なり、表シート９には引っ張り力がほとんど付与されていないが（ごく僅かに付与されているだけであるが）、皺が発生しないようにして、外周係合材１１に支持されている。
【００３５】
これにより、クッション材５は、外周係合材１１によって保持されている裏シート７と表シート９とによって包まれており、外周係合材１１に固定されている裏シート７の外周部と表シート９の外周部との重ね合わされている環状の部位のところが、クッション材５の外周部とほぼ接している（図７参照）。
【００３６】
裏シート７と表シート９とによって包まれているので、シートカバー１の態様ではクッション材５は外から見えないようになっている。そこで、クッション材５として、チップウレタンモールド品等の再利用材を採用しやすくなっている。
【００３７】
また、外周係合材１１と裏シート７と表シート９がクッション材５に設置されていても、クッション材５は、物理的にはごくわずかには弾性変形するが見た目にはほとんど変形せず、単体で外力が加わっていないときとほぼ同じ形状を保っている。つまり、シートカバー１は、クッション材５や椅子本体部３とほぼ同様な形状になっている。
【００３８】
なお、椅子本体部３とシートカバー１とをこれの厚さ方向から見た大きさでは、椅子本体部３のほうがシートカバー１よりも若干小さくなっている（外周係合材１１の幅程度小さくなっている）。
【００３９】
シートカバー１を椅子本体部３に設置すると、裏シート７が椅子本体部３の表面に接し、表シート９が座る人に対向するようになっている。また、シートカバー１を椅子本体部３に設置し終えた場合であっても、シートカバー１は物理的にはごくわずかには弾性変形するが見た目にはほとんど変形していない。
【００４０】
なお、シートカバー１を椅子本体部３に設置しもしくは椅子本体部３から取り去るとき、クッション材５や各シート７，９だけでなく外周係合材１１も弾性変形するのであるが、椅子本体部３へ設置されているシートカバー１が椅子本体部３から簡単にはずれないようにするために、常温では、外周係合材１１を構成する材料を硬くして上記弾性変形がほとんど起こらないようにしてもよい。
【００４１】
そして、シートカバー１を椅子本体部３に設置しもしくは椅子本体部３から取り去るときには、外周係合材１１を加熱することで、上記弾性変形を起こさせるようにしてもよい。すなわち、シートカバー１を椅子本体部３に設置するときやシートカバー１を椅子本体部３から取り去るときにのみ、上記加熱をして上記弾性変形を起こさせるようにしてもよい。
【００４２】
また、環状になっている外周係合材１１は、図８等で示すように、一部で切断されている（切れ目が存在している）。すなわち、一定の断面形状（「Ｕ」字状）のものの長手方向の両端部が接合されることなく突き合わせだけがされている。切断されている部位２５は、シートカバー１の前端の幅方向中央に位置している。切断部位２５の位置は、人が座ったときに左右の大腿部の間に位置するようになっている。
【００４３】
また、裏シート７の裏面（クッション材５に接する面とは反対の面）には、図６等で示すように、弾性を備えた滑り止め２７が薄く膜状に設けられている。滑り止め２７の裏シート７からの突出量はごく僅かであり、裏シート７から突出してないように見える。ただし、指の腹でなぞるとごく僅かに盛り上がっていると認識することができる。裏シート７は、前述したように、２ウェイストレッチタイプのものであり、引っ張り力が付与された状態で外周係合材１１とクッション材５とに設置されている。
【００４４】
引っ張り力が付与された裏シート７が外周係合材１１とクッション材５とに設置されている状態では、裏シート７とクッション材５との間の摩擦力が大きくなっており、裏シート７とクッション材５との間の位置ずれが容易には起こらないようになっている。
【００４５】
また、滑り止め２７は、シリコンゴム等の合成ゴムで構成されている。滑り止め２７は、裏シート７の裏面（クッション材５に面している面とは反対側の面）に、所定の模様（たとえば、星マーク形状）になって、散らばりほぼ均一に設けられている。これにより、売られている状態であっても、シートカバー１が審美性を発揮することができる。
【００４６】
なお、滑り止め２７を散らして設けることに代えて、裏シート７の全面に設けてもよい。また、滑り止め２７は、裏シート７の生地の中にも浸透しているので、裏シート７から容易には剥離しないようになっている。さらに、滑り止め２７は、裏シート７のクッション材５側の面）にも現れている。これにより、裏シート７とクッション材５との間の摩擦力も大きくなっている。
【００４７】
また、滑り止め２７をシリコンゴムで構成することで、シートカバー１を長時間椅子２の本体部３に設置してあっても、劣化しにくく、滑り止め２７が椅子本体部３に転写される（移行する）ことはない。
【００４８】
また、表シート９は、この中央部２９のみ（図３で示す環状の破線の内側の部位のみ）がクッション材５に接合されている。
【００４９】
表シート９の中央部２９以外の他の部位と裏シート７とは、クッション材５に接合されておらず、単に接触しているだけである。また、表シート９の中央部２９が接着剤等の接合材でクッション材５に接合されているが、接合材（たとえばかたまっている接着剤）は、クッション材５と同様の弾性を備えている。
【００５０】
表シート９の中央部２９は、シートカバー１を椅子２の本体部３に設置してその椅子２に人が座ったときにその人の主に殿部の中央部（幅方向の中央部）が接触する表シート９の部位である。
【００５１】
ここで、シートカバー１の椅子本体部３への設置等について説明する。
【００５２】
シートカバー１の椅子本体部３への設置は、シートカバー１が椅子本体部３から分離している状態で、外周係合材１１の所定の一部の部位を弾性変形させて、椅子本体部３の所定の部位に係合させる（外周係合材１１の「Ｕ」字で椅子本体部３の外周の所定の一部の部位を挟み込む）。
【００５３】
続いて、上記挟み込みを外周係合材１１の長手方向にそって順次行い、外周係合材１１の全長を椅子本体部３の全周に係合させる。これにより、シートカバー１の椅子本体部３への設置が終了する。シートカバー１を椅子本体部３から取り外すときには、逆のことを行う。
【００５４】
シートカバー１の椅子本体部３への設置が終了した状態では、図１で示すように、椅子本体部３の表面の全面がシートカバー１で覆われている。また、シートカバー１の椅子本体部３への設置が終了した状態では、椅子本体部３の裏面の外周部の全周が外周係合材１１覆われているが、その他の部位は露出している。
【００５５】
また、シートカバー１の椅子本体部３への設置が終了した状態では、椅子本体部３の外周部の全周が裏側に反っているので、座った人の体が、外周係合材１１から離れ外周係合材１１に当接しないようになっている。
【００５６】
シートカバー１によれば、クッション材５と各シート７，９と各シートの外周部の全周にわたって延びて環状に設けられ椅子２に設置されたときに椅子本体部３の外周部の全周に係合する外周係合材１１とを備えているので、シートカバー１が設置された椅子２の座り心地が良くなっている（柔らかく冬等の寒いときひんやりしない）とともに、シートカバー１の椅子本体部３への設置、椅子本体部３からの分離が容易になっている。
【００５７】
これにより、椅子本体部３に比べて汚れやすくまた傷がつきやすいシートカバー１のメンテナンスが容易になり、また、ユーザー好みに応じて椅子２の外観を容易に変えることができる。
【００５８】
また、椅子２のデザインを変更することを容易にすることができ、たとえば、シートカバー１の表面に宣伝広告用の文言や図形を描いてあれば、イベント会場での宣伝広告を一層強く訴えることができる。
【００５９】
また、シートカバー１によれば、外周係合材１１の断面形状が「Ｕ」字状に形成されており、各シート７，９の外周部は、「Ｕ」字の内側で「Ｕ」字の一方の端部側に固定されており、外周係合材１１が椅子本体部３の外周部に係合している状態では、「Ｕ」字状の断面によって椅子本体部３の外周部と各シート７，９の外周部とが挟み込まれている構成であるので、外周係合材１１によって、シートカバー１を椅子本体部３に確実に固定することができ、一度設置されたシートカバー１が、椅子本体部３からはずれにくくなっている。
【００６０】
また、シートカバー１によれば、外周係合材１１が一部で切断されているので（図８等の参照符号２５参照）、シートカバー１を椅子本体部３に設置しもしくは椅子本体部３から取り去るときに、外周係合材１１が変形しやすくなっており、シートカバー１の着脱作業が容易になっている。また、外周係合材１１を押し出し成形で製造することができ、外周係合材１１の製造が容易になる。
【００６１】
また、シートカバー１によれば、引っ張り力が付与された状態で裏シート７が外周係合材１１とクッション材５に設置されているので、シートカバー１が単体で存在している状態でも裏シート７に皺が発生しなくなっている。
【００６２】
また、引っ張り力が付与された状態で裏シート７が外周係合材１１とクッション材５に設置されており、裏シート７に滑り止めが設けられているので、シートカバー１を椅子本体部３に設置したときに、裏シート７と椅子本体部３との間の摩擦力が大きくなっており、また、裏シート７とクッション材５との間の摩擦力が大きくなっている。これにより、椅子本体部３に設置されたシートカバー１の位置ずれが発生し難くなっており、特に人が浅く座ったときであっても、椅子本体部３に対するシートカバー１の位置ずれが発生しないようになっている。
【００６３】
また、シートカバー１によれば、表シート９の中央部２９がクッション材５に接合されているので、シートカバー１を椅子本体部３に設置しもしくは椅子本体部３から取り去るときに、中央部２９を除く部位が変形しやすいことで、外周係合材１１を変形させやすくなっているとともに、表シート９のクッション材５に対する位置ずれが発生しにくくなっている。
【００６４】
ところで、表シート９を外周係合材１１により強固に設置するために、図９（ａ）で示すように、表シート９の外周部に折り返し部３１を設けて、この折り返し部３１を含めて糸２３で表シート９を外周係合材１１に縫合してもよい。また、表シート９に折り返し部３１を設けることに代えてもしくは加えて、裏シート７に折り返し部を設け、この折り返し部を含めて裏シート７を外周係合材１１に縫合してもよい。
【００６５】
また、図９（ｂ）で示すように、塩化ビニル等の帯板状の補強材３３を表シート９と裏シート７とともに、外周係合材１１に糸２３で縫合して固定してもよい。この補強材３３は、切断部位２５のところ（図８で示す参照符号３５の部位）にのみ設けられているが、外周係合材１１の全周にわたって設けられていてもよい。
【００６６】
さらに、上記説明では、椅子本体部３の形状として、いわゆるシェルチェアの形状のものを例に掲げて説明したが、椅子本体部３が他の形状であってもよい。たとえば、背もたれ部が設けられていないものであってもよいし、背もたれ部が座面部から離れているタイプのものであってもよい。そして、シートカバーが、座面部、背もたれ部の少なくともいずれかに設置されるものであってもよい。これらの場合、シートカバー１の形状は、当然のこととして、椅子本体部３の形状に合わせて変更される。
【符号の説明】
【００６７】
１  シートカバー
２  椅子
３  椅子本体部
５  クッション材
７  裏シート
９  表シート
１１  外周係合材
１３  座面クッション部
１５  背もたれクッション部
２７  滑り止め
３５  表シートの中央部
【図１】
2014113235.tif 000003
【図２】
2014113235.tif 000004
【図３】
2014113235.tif 000005
【図４】
2014113235.tif 000006
【図５】
2014113235.tif 000007
【図６】
2014113235.tif 000008
【図７】
2014113235.tif 000009
【図８】
2014113235.tif 000010
【図９】
2014113235.tif 000011
【図１０】
2014113235.tif 000012